(57)【特許請求の範囲】
【請求項１】
熱媒を加温するヒートポンプと、このヒートポンプに熱媒循環系を介して接続され、上記熱媒から熱を受け取る暖房器と、上記ヒートポンプに上記熱媒循環系を介して接続され、上記熱媒から水に熱を受け渡させる熱交換器と、この熱交換器に水循環系を介して接続された貯湯槽とを備え、上記暖房器がオフの時に、上記ヒートポンプを駆動しながら上記熱媒循環系により上記熱媒を上記ヒートポンプと上記熱交換器との間で循環させるとともに、上記水循環系により水を上記貯湯槽と上記熱交換器との間で循環させる貯湯運転を実行し、上記暖房器がオンの時は、上記ヒートポンプを駆動しながら上記熱媒循環系により上記熱媒を上記ヒートポンプと上記暖房器との間で循環させる暖房運転を実行するものに於いて、上記貯湯運転の実行時、上記熱媒を上記ヒートポンプによる成績係数が１以下にならない限界温度まで加温するとともに、上記ヒートポンプが外気から採熱するものであり、上記成績係数を、外気温と、上記熱交換器の入口での水温と、上記ヒートポンプの出口での上記熱媒の温度とに基づいて推定することを特徴とする給湯暖房システム。
【請求項２】
上記ヒートポンプの出口での上記熱媒が所定温度になるように上記ヒートポンプを仮運転し、この仮運転時の成績係数に基づいて上記限界温度を定めることを特徴とする請求項１記載の給湯暖房システム。
【発明の詳細な説明】
【０００１】
【発明の属する技術分野】
この発明は、ヒートポンプを用いた暖房システムに関する。
【０００２】
【従来の技術】
例えば、特開平９−１０１０５９号公報には、貯湯槽の内部に熱源器と熱交換器を収容した給湯暖房システムが記載されている。このシステムでは、貯湯槽内の水が、熱源器で加温され、給湯に供される。また、熱交換器で水から熱媒に熱が受け渡され、この熱媒が暖房器に送られることにより、暖房が行われる。
【０００３】
【発明が解決しようとする課題】
上記従来のシステムでは、暖房を継続して行うには、貯湯槽内の多量の水を熱源器で加温し続けなければならず、効率が悪いという問題があった。
【０００４】
【課題を解決するための手段】
本発明は、上記問題を解決するために提案されたものであり、その第１の特徴では、熱媒を加温するヒートポンプと、このヒートポンプに熱媒循環系を介して接続され、上記熱媒から熱を受け取る暖房器と、上記ヒートポンプに上記熱媒循環系を介して接続され、上記熱媒から水に熱を受け渡させる熱交換器と、この熱交換器に水循環系を介して接続された貯湯槽とを備え、上記暖房器がオフの時に、上記ヒートポンプを駆動しながら上記熱媒循環系により上記熱媒を上記ヒートポンプと上記熱交換器との間で循環させるとともに、上記水循環系により水を上記貯湯槽と上記熱交換器との間で循環させる貯湯運転を実行し、上記暖房器がオンの時は、上記ヒートポンプを駆動しながら上記熱媒循環系により上記熱媒を上記ヒートポンプと上記暖房器との間で循環させる暖房運転を実行するものに於いて、上記貯湯運転の実行時、上記熱媒を上記ヒートポンプによる成績係数が１以下にならない限界温度まで加温するとともに、上記ヒートポンプが外気から採熱するものであり、上記成績係数を、外気温と、上記熱交換器の入口での水温と、上記ヒートポンプの出口での上記熱媒の温度とに基づいて推定する。
【０００５】
本発明の第２の特徴では、上記第１の特徴の給湯暖房システムが、上記ヒートポンプの出口での上記熱媒が所定温度になるように上記ヒートポンプを仮運転し、この仮運転時の成績係数に基づいて上記限界温度を定める。
【００１１】
【発明の実施の形態】
以下、本発明の実施形態を、図面を参照して説明する。
図１は、本発明の第１実施形態に係る給湯暖房システムＳ１を示したものである。このシステムＳ１は、貯湯槽１０と、この貯湯槽１０の外部に配されたヒートポンプ２０（熱源器）と、室内の床に設置された床暖房パネル３０（暖房器）とを備えている。
【００１２】
貯湯槽１０の下側部に給水管１１が連なっている。この給水管１１から供給された水で貯湯槽１０内が満たされている。後述するように、この槽１０内の水、特に槽１０の上側部の水は、貯湯運転によって約９０℃の熱湯にされている。
【００１３】
ヒートポンプ２０は、フロンや代替フロンなどからなる冷媒を循環させながら、蒸発と凝縮を反復させるようになっている。冷媒は、蒸発時に外気から採熱し、凝縮時にヒートポンプ２０内の受熱路２１へ放熱する。
【００１４】
貯湯槽１０には、水循環系４０が接続され、ヒートポンプ２０には、熱媒循環系６０が接続され、これら循環系４０，６０どうしが熱交換器５０を介して接続されている。熱交換器５０は、水を通す伝熱管５１と、例えばプロピレングリコールからなる熱媒を通す伝熱管５２とを有している。
【００１５】
水循環系４０は、貯湯槽１０の下端（下側部）から延びて熱交換器５０の伝熱管５１に連なる往路４１と、伝熱管５１からから延びて貯湯槽１０の上端（上側部）に連なる復路４２とを有している。往路４１には、水循環ポンプ４３が設けられている。復路４２には、追焚きヒータ４４（補助ヒータ）が設けられている。
【００１６】
熱媒循環系６０は、熱交換器５０の伝熱管５２から延びてヒートポンプ１０の受熱路２１に連なる熱媒通路６１と、受熱路２１から延びて伝熱管５２に連なる熱媒通路６２とを有している。熱媒通路６１には、熱媒循環ポンプ６３が設けられている。
【００１７】
熱媒循環系６０に上記床暖房パネル３０が接続されている。すなわち、床暖房パネル３０には、放熱路３１が内蔵されている。この放熱路３１の両端に、熱媒循環系６０の熱媒通路６５，６６が連ねられている。
【００１８】
放熱路３１の上流端に連なる熱媒通路６５は、電磁三方弁６４を介して熱媒通路６２に接続されている。電磁三方弁６４を境に、通路６２は、ヒートポンプ２０側の通路部６２ａと、熱交換器５０側の通路部６２ｂとに分けられている。
【００１９】
放熱路３１の下流端から延びる熱媒通路６６は、循環ポンプ６３より熱交換器５０側の熱媒通路６１に連なっている。この連通部を境に、通路６１は、熱交換器５０側の通路部６１ａと、ヒートポンプ２０側の通路部６１ｂとに分けられている。
【００２０】
電磁三方弁６４は、例えばソレノイドオフのとき、熱媒通路６２の通路部６２ａ，６２ｂどうしを連通するとともに、通路６５を遮断するようになっている。これによって、ヒートポンプ２０の受熱路２１、通路部６２ａ，６２ｂ、熱交換器５０の伝熱管５２、通路部６１ａ，６１ｂの順に（ヒートポンプ２０と熱交換器５０との間で）熱媒が循環する循環回路が形成されるようになっている。また、電磁三方弁６４は、ソレノイドオンのとき、ヒートポンプ側通路部６２ａと通路６５とを連通するとともに、熱交換器側通路部６２ｂを遮断するようになっている。これによって、受熱路２１、通路部６２ａ、通路６５、床暖房パネル３０の放熱路３１、通路６６、通路部６１ｂの順に（ヒートポンプ２０と床暖房パネル３０との間で）熱媒が循環する循環回路が形成されるようになっている。
【００２１】
さらに、給湯暖房システムＳ１には、コントローラ７０（制御手段）が備えられている。コントローラ７０は、ヒートポンプ２０や追焚きヒータ４４、循環系４０，６０の循環ポンプ４３，６３、電磁三方弁６４などを制御することにより、貯湯運転と暖房運転を実行する。以下、コントローラ７０の制御内容を説明する。
【００２２】
貯湯運転は、床暖房パネル３０がオフの時に適宜実行される。コントローラ７０は、ヒートポンプ１０と熱媒循環ポンプ６３を駆動するとともに、電磁三方弁６４により通路部６２ａ，６２ｂを連通させる。これによって、ヒートポンプ２０と熱交換器５０との間で熱媒が循環される。この熱媒は、ヒートポンプ２０を通過する過程で加温される。また、コントローラ７０は、水循環ポンプ４３を駆動する。これによって、貯湯槽１０と熱交換器５０との間で水が循環される。すなわち、貯湯槽１０の下側部の水が熱交換器５０に導かれる。これによって、熱交換器５０において、伝熱管５２を通過中の熱媒から伝熱管５１を通過中の水への熱交換が行われ、水が加温される。さらに、コントローラ７０は、追焚きヒータ４４を駆動する。これによって、熱交換器５０で加温後の水が、追焚きヒータ４４によって更に加温され、約９０℃の熱湯にされる。そして、貯湯槽１０の上側部に戻され、貯えられる。この熱湯を、貯湯槽１０の上側部から延びる給湯管１２を介して給湯に供することができる。
【００２３】
上記貯湯運転の実行時、コントローラ７０は、ヒートポンプ２０の成績係数を、投入電力と熱出力から求める。成績係数＞１の場合は、熱媒をヒートポンプ２０によって昇温可能な所望温度（例えば約７０℃）まで温める。これによって、熱交換器５０出口（伝熱管５１の下流端）での水温を可能な限り高く（例えば約６０℃）にすることができ、ひいては追焚きヒータ４４の負担を軽減することができる。
【００２４】
一方、成績係数≦１の場合は、熱媒の加温量を下げ、成績係数＞１になるようにする（熱媒を成績係数≦１にならない限界の温度（例えば約５０℃）まで加温する）。これによって、ヒートポンプ効率を良好に維持することができる。熱媒の加温量低下分に対する水の加温は、追焚きヒータ４４で補う。
【００２５】
成績係数は、実際の投入電力と熱出力から直接求めるのに代えて、外気温と、熱交換器５０の入口（伝熱管５１の上流端）での水温と、ヒートポンプ２０の出口（受熱路２１の下流端）での熱媒温度とに基づき、予め作成しておいたテーブル（上記外気温、水温、熱媒温度に対する成績係数のデータ）を使って推定することにしてもよい。或いは、ヒートポンプ２０の出口での熱媒が上記所望温度になるようにヒートポンプ２０を予め仮運転し、この仮運転時の成績係数に基づいて上記限界温度を定めることにしてもよい。
【００２６】
上記貯湯運転は、主に深夜（例えば午前１時〜午前５時）に実行するのが望ましい。これによって、ヒートポンプ２０の電力使用量を低減できる。
【００２７】
居住者のリモコン操作やタイマ予約などにより床暖房パネル３０がオンされると、コントローラ７０は、暖房運転を実行する。すなわち、ヒートポンプ２０と熱媒循環ポンプ６３を駆動するとともに、電磁三方弁６４により通路部６２ａと通路６５を連通させる。（水循環ポンプ４３と追焚きヒータ４４は停止する。）これによって、熱媒がヒートポンプ２０と床暖房パネル３０との間で循環される。この熱媒が、ヒートポンプ２０で加温され、床暖房パネル３０に放熱する。これによって、床暖房を行うことができる。この暖房状態は、ヒートポンプ２０の小さな出力で十分に維持可能であり、上記従来システムのように貯湯槽１０内の多量の水を加温し続ける必要はない。
【００２８】
次に、本発明の他の実施形態を説明する。以下の実施形態において、既述の実施形態と重複する構成に関しては、図面に同一符号を付して説明を省略する。
図２は、本発明の第２実施形態に係る給湯暖房システムＳ２を示したものである。このシステムＳ２では、貯湯槽１０の上側部に、伝熱管からなる採熱器１３が収容されている。採熱器１３の両端は、熱媒循環系６０の熱媒通路６７，６８に連ねられている。
【００２９】
採熱器１３の上流端に連なる通路６７には、熱媒循環ポンプ９０が設けられている。通路６７は、電磁三方弁６９を介して通路６６に接続されている。この接続部を境に、通路６６が、床暖房パネル３０側の通路部６６ａと、その逆側の通路部６６ｂとに分かれている。
【００３０】
採熱器１３の下流端から延びる通路６８は、通路６５に連なっている。この連通部を境に、通路６５が、弁６４側の通路部６５ａと、床暖房パネル３０側の通路部６５ｂとに分かれている。
【００３１】
電磁三方弁６９は、例えばソレノイドオフのとき、通路部６６ａ，６６ｂどうしを連通するとともに、通路６７を遮断するようになっている。これによって、熱媒が、通路６１ｂ、受熱路２１、通路部６２ａ，６５ａ，６５ｂ、放熱路３１、通路部６６ａ，６６ｂの順に（ヒートポンプ２０と床暖房パネル３０との間で）循環する循環回路が形成されるようになっている。また、電磁三方弁６９は、ソレノイドオンのとき、通路部６６ａと通路６７を連通するとともに、通路部６６ｂを遮断するようになっている。これによって、熱媒が、通路６７、採熱器１３、通路６８、通路部６５ｂ、放熱路３１、通路部６６ａの順に（採熱器１３と床暖房パネル３０との間で）循環する循環回路が形成されるようになっている。
【００３２】
システムＳ２のコントローラ７０は、暖房運転の際、先ず、熱媒循環ポンプ９０を駆動するとともに、電磁三方弁６６により通路部６６ａと通路６７を連通させる。これによって、熱媒が、採熱器１３と床暖房パネル３０との間で循環される。この熱媒が、採熱器１３を通過する過程で、貯湯槽１０の上側部の熱湯から多量の熱を受け取ることができる。これによって、放熱路３１から多量の放熱を行うことができる。この結果、床の温度を短時間で所望のレベルまで立ち上げることができる。
【００３３】
暖房開始から所定の時間（例えば５分〜３０分）が経過した後、又は、床暖房パネル３０の出口（放熱路３１の下流端）での熱媒温度が所定（例えば５０℃）に達した後、コントローラ７０は、循環ポンプ９０を停止する一方、循環ポンプ６３を駆動し、電磁三方弁６９により通路部６６ａ，６６ｂを連通させる。これによって、熱媒がヒートポンプ２０と床暖房パネル３０との間で循環され、上記第１実施形態で述べたのと同様に、ヒートポンプ２０の小さな出力により快適な暖房状態を効率的に維持することができる。
【００３４】
図３は、本発明の第３実施形態に係る給湯暖房システムＳ３を示したものである。このシステムＳ３は、上記第２実施形態のシステムＳ２に、太陽熱集熱器８０と太陽熱放熱器１４が付加されている。集熱器８０は、屋根などの屋外に設置され、太陽熱を集熱して熱媒に与える。放熱器１４は、伝熱管にて構成され、貯湯槽１０の下側部に収容されている。
【００３５】
これら集熱器８０と放熱器１４は、熱媒循環系６０を介して接続されている。すなわち、熱媒循環系６０は、集熱器８０の下流端から延びて放熱器１４の上流端に連なる熱媒通路９１と、放熱器１４の下流端から延びて集熱器８０の上流端に連なる熱媒通路９２とを含んでいる。通路９２には、熱媒循環ポンプ９３が設けられている。
【００３６】
熱媒通路９１の中途部には、電磁三方弁９７が設けられており、この弁９７から熱媒通路９４が延びて通路部６５ｂに連なっている。通路部６５ｂは、この連通部を境に、通路部６５ａ側の通路部分６５ｃと、床暖房パネル３０側の通路部分６２ｄとに分かれている。
【００３７】
さらに、床暖房パネル３０の下流側の通路部６６ａには、電磁三方弁９８が設けられており、この弁９８から熱媒通路９５が延びて弁９７より下流の熱媒通路９１に連なっている。通路部６６ａは、弁９８を挟んで床暖房パネル３０側の通路部分６６ｃと、その反対側の通路部分６６ｄとに分かれている。
【００３８】
通路９５との連通部より下流の熱媒通路９１には、電磁三方弁９９が設けられており、この弁９９から短絡通路９６が延びて、ポンプ９３より貯湯槽１０側の熱媒通路９２に連なっている。
【００３９】
熱媒通路９１は、集熱器８０と弁９７間の通路部９１ａと、弁９７と通路９５間の通路部９１ｂと、通路９５と弁９９間の通路部９１ｃと、弁９９と貯湯槽１０間の通路部９１ｄとに分けられている。
【００４０】
電磁三方弁９７は、例えばソレノイドオフのとき、通路部９１ａ，９１ｂどうしを連通するとともに、通路９４を遮断するようになっている。また、ソレノイドオンのとき、通路部９１ａと通路９４を連通するとともに、通路部９１ｂを遮断するようになっている。
【００４１】
電磁三方弁９８は、例えばソレノイドオフのとき、通路部分６６ｃ，６６ｄどうしを連通するとともに、通路９５を遮断するようになっている。また、ソレノイドオンのとき、通路部分６６ｃと通路９５を連通するとともに、通路部分６６ｄを遮断するようになっている。
【００４２】
電磁三方弁９９は、例えばソレノイドオフのとき、通路部９１ｃ，９１ｄどうしを連通するとともに、通路９６を遮断するようになっている。また、ソレノイドオンのとき、通路部９１ｄを遮断するとともに、通路部９１ｃと通路９６を連通し、ひいては通路９１，９２どうしを通路９６を介して短絡するようになっている。
【００４３】
システムＳ３のコントローラ７０には、モード指定スイッチ７１（指定手段）が接続されている。居住者は、このスイッチ７１により、熱媒循環系６０に対して貯湯主体モードと暖房貯湯モードの一方を指定できるようになっている。
【００４４】
すなわち、春〜秋などの暖房が不要な季節には、貯湯主体モードを指定しておく。このモードでは、晴天の日中などのように、集熱器８０が太陽熱を十分集熱できる時、具体的には、温度センサ７２による集熱器８０の出口での熱媒温度が、温度センサ７４による貯湯槽１０の放熱器１４周辺での水温より十分（例えば５℃〜１０℃以上）高くなった時、コントローラ７０が、電磁三方弁９７，９９により通路部９１ａ〜９１ｄを連通させるとともに、熱媒循環ポンプ９３を駆動することにより、太陽熱利用貯湯運転を実行する。これによって、熱媒が、集熱器８０、通路部９１ａ〜９１ｄ、放熱器１４、通路９２の順に循環される（集熱器８０と放熱器１４との間で循環される）。この熱媒が、集熱器８０で太陽熱を受け取り、放熱器１４で放熱する。これによって、貯湯槽１０内の水を加温することができる。
【００４５】
なお、貯湯主体モードにおいても、床暖房パネル３０がオンされると、上記第２実施形態のシステムＳ２と同様の暖房運転が実行される。太陽熱利用貯湯運転を実行中に、床暖房パネル３０がオンされた場合には、太陽熱利用貯湯運転と暖房運転とが併行して行われることになる。
【００４６】
冬季になると、スイッチ７１によって暖房貯湯モードを指定しておく。このモードでは、晴天の日中（太陽熱を十分集熱可能な時、具体的には、集熱器８０出口での熱媒温度が、温度センサ７３による床暖房パネル３０出口での熱媒温度や貯湯槽１０の放熱器１４周辺での水温より十分高い時）になると、コントローラ７０が、太陽熱利用暖房貯湯運転を実行する。すなわち、電磁三方弁９７により通路部９１ａと通路９４を連通させ、電磁三方弁９８により通路部分６６ｃと通路９５を連通させ、電磁三方弁９９により通路部９１ｃ，９１ｄを連通させ、さらに熱媒循環ポンプ９３を駆動する。
【００４７】
これによって、熱媒が、集熱器８０、通路部９１ａ、通路９４、通路部分６５ｄ、放熱路３１、通路部分６６ｃ、通路９５、通路部９１ｃ，９１ｄ、放熱器１４、通路９２の順に循環される。この熱媒が、集熱器８０から受け取った太陽熱を放熱路３１で放熱するとともに、放熱器１４で放熱する。放熱器１４での放熱によって貯湯槽１０内の水を加温することができる。また、放熱路３１での放熱によって、床暖房パネル３０がオフになっているときでも、床暖房パネル３０を温め、暖房状態にすることができる。
【００４８】
この太陽熱利用暖房貯湯運転だけでは暖房が十分でない場合には、床暖房パネル３０をオンする。これによって、太陽熱利用暖房貯湯運転が停止され、上記システムＳ２と同様の暖房運転が実行される。すなわち、コントローラ７０が、まず、電磁三方弁９８により通路部分６６ｃ，６６ｄを連通させ、電磁三方弁６９により通路部分６６ｄと通路６７を連通させ、熱媒循環ポンプ９０を駆動する。
【００４９】
これによって、熱媒が、通路６７、採熱器１３、通路６８、通路部分６５ｃ，６５ｄ、放熱路３１、通路部分６６ｃ，６６ｄの順に循環される。この熱媒が貯湯槽１０で採熱し、床暖房パネル３０で放熱する。床暖房パネル３０は、太陽熱利用暖房貯湯運転によって既に温められているので、より短い時間で快適な暖房状態にすることができる。
【００５０】
その後、コントローラ７０は、熱媒循環ポンプ９０を停止し、電磁三方弁６４により通路部６２ａ，６５ａを連通させ、電磁三方弁９８により通路部分６６ｃ，６６ｄを連通させ、電磁三方弁６９により通路部６６ａ，６６ｂを連通させ、さらに、ヒートポンプ２０と熱媒循環ポンプ４３を駆動する。これによって、熱媒が、通路部６１ｂ、受熱路２１、通路部６２ａ，６５ａ，通路部分６５ｃ，６５ｄ、放熱路３１、通路部分６６ｃ，６６ｄ、通路部６６ｂの順に循環される。この熱媒を介してヒートポンプ２０から床暖房パネル３０に熱が供給され、快適な暖房状態が維持される。
【００５１】
なお、暖房貯湯モードでも、貯湯主体モードと同様に、上記暖房運転と併行して、集熱器８０と放熱器１４との間で熱媒を循環させ、太陽熱利用貯湯運転を実行する場合がある。
【００５２】
暖房運転を停止している時において、集熱器８０が床暖房パネル３０より十分高温でない場合には、熱媒を集熱器８０と放熱器１４との間だけで循環させ、床暖房パネル３０をパスする。
【００５３】
一方、集熱器８０が貯湯槽１０より十分高温でない時には、熱媒を集熱器８０と床暖房パネル３０との間だけで循環させ、放熱器１４をパスする。すなわち、弁９７で通路部９１ａと通路９４を連通させ、弁９８で通路部分６６ｃと通路９５を連通させ、弁９９で通路部９１ｃと通路９６を連通させ、循環ポンプ９３を駆動することにより、熱媒を、通路９２、集熱器８０、通路部９１ａ、通路９４、通路部分６５ｄ、放熱路３１、通路部分６６ｃ、通路９５、通路部９１ｃ、通路９６の順に循環させる。
【００５４】
集熱器８０が、貯湯槽１０及び床暖房パネル３０の何れよりも十分高温でない時には、熱媒循環ポンプ９３が停止される。
【００５５】
深夜には、貯湯主体モード及び暖房貯湯モードの何れにおいても、第１実施形態で述べたのと同様の貯湯運転が実行される。なお、このシステムＳ３では、水循環系４０の往路４１の上流端が、貯湯槽１０における放熱器１４より上に配されている。したがって、貯湯運転によって、貯湯槽１０内の水は、放熱器１４より上側では熱湯になるが、放熱器１４の周りでは低温のまま維持される。これによって、明くる日の日中、太陽熱で貯湯する際に、放熱器１４での熱媒の放熱効率を高めることができ、ひいては、集熱器８０に入る熱媒を低温にして太陽熱集熱効率を高くすることができる。
【００５６】
本発明は、上記実施形態に限定されるものではなく、種々の改変が可能である。
例えば、熱源器として、超臨界領域で凝縮する物質（二酸化炭素など）を冷媒とするヒートポンプを用いてもよい。そうすると、熱媒のヒートポンプ出口温度を高温にすることができる。
システムＳ３において、モード指定スイッチ７１をリモコン操作装置に設け、スイッチング情報が無線でコントローラ７０に送られるようにしてもよい。さらに、指定手段が、モードを季節や気温などに応じて自動的に指定するようになっていてもよい。
【００５７】
【発明の効果】
以上説明したように、本発明によれば、ヒートポンプを効率的に駆動でき、経済的に貯湯でき、またヒートポンプの成績係数を簡単に定めることができる。本発明の第２によれば、成績係数が１以下にならない限界温度を簡単に定めることができる。
【図面の簡単な説明】
【図１】本発明の第１実施形態に係る給湯暖房システムの概略構成図である。
【図２】本発明の第２実施形態に係る給湯暖房システムの概略構成図である。
【図３】本発明の第３実施形態に係る給湯暖房システムの概略構成図である。
【符号の説明】
Ｓ１〜Ｓ３  給湯暖房システム
１０  貯湯槽
１３  採熱器
１４  放熱器
２０  ヒートポンプ（熱源器）
３０  床暖房パネル（暖房器）
４０  水循環系
４２  復路
４４  追焚きヒータ（補助ヒータ）
５０  熱交換器
６０  熱媒循環系
７１  モード指定スイッチ（指定手段）
【図１】
0004025027.tif 000002
【図２】
0004025027.tif 000003
【図３】
0004025027.tif 000004